(57)【要約】【課題】砥粒保持力およびフレキシビリティに優れる研磨シートおよびこれを装着した研磨工具を提供する。【解決手段】研磨シート１０は、基板シート１２上に砥粒１４がろう材１６によって固着されている。基板シート１２は薄いステンレス鋼板からなり、その厚さは１ｍｍ以下とされている。砥粒１４は、ダイヤモンドやＣＢＮ等の超砥粒である。砥粒１４は基板シート１２上に規則的に連続して固着されている。ろう材１６は、Ｃｕ−Ｓｎ系のろう材である。ろう材１６の組成は、７０〜８０重量％のＣｕを含み、その残部はＳｎからなる。これによって、砥粒保持力およびフレキシビリティに優れる研磨シートとできる。【選択図】図１
2007175832.tif 000002
【特許請求の範囲】
【請求項１】
柔軟性を有する基板シートと、
前記基板シート上に固着された砥粒と、
前記砥粒を基板シート上に固着させるろう材と、
を備え、
前記ろう材は、Ｃｕを含む、
研磨シート。
【請求項２】
前記ろう材は、Ｓｎを含む、
請求項１に記載の研磨シート。
【請求項３】
前記ろう材は、Ｔｉを含む、
請求項２に記載の研磨シート。
【請求項４】
前記基板シートは、ステンレス鋼からなる、
請求項１〜３のいずれか１項に記載の研磨シート。
【請求項５】
前記基板シートの厚さは、１ｍｍ以下である、
請求項１〜４のいずれか１項に記載の研磨シート。
【請求項６】
請求項１〜５のいずれか１項に記載の研磨シートが装着された研磨工具。
【発明の詳細な説明】
【技術分野】
【０００１】
本発明は、研磨シートおよびこれを装着した研磨工具に関する。
【背景技術】
【０００２】
石材等の研磨に、柔軟性を有する樹脂、布、金属板等に砥粒を保持させた研磨シートが多く使用されている。例えば、特許文献１には、基板シートとしてＡｌ合金板を用い、当該Ａｌ合金板上に砥粒をＡｌ合金によってろう付けした研磨シートが開示されている。
【特許文献１】特開平４−２２３８７９号公報
【発明の開示】
【発明が解決しようとする課題】
【０００３】
しかしながら、特許文献１のようなＡｌボンドによるろう付けシートは、ろう材であるＡｌが基板シートであるＡｌ合金板と化学的に反応しにくく、砥粒が脱落しやすいという問題がある。また、このような研磨シートを曲げると、Ａｌろう材による砥粒の保持力が弱いため、曲げの応力によって砥粒が脱落しやすい。そのため、このような研磨シートでは、研磨シート全体として十分な柔軟性を得ることができない。
【０００４】
本発明は、斯かる実情に鑑み、砥粒保持力および柔軟性に優れる研磨シートおよびこれを装着した研磨工具を提供しようとするものである。
【課題を解決するための手段】
【０００５】
本発明は、柔軟性を有する基板シートと、基板シート上に固着された砥粒と、砥粒を基板シート上に固着させるろう材とを備え、ろう材は、Ｃｕを含む研磨シートである。
【０００６】
この構成によれば、砥粒を基板シートに固着するろう材が、Ｃｕを含むため、ろう材自体の弾性と、砥粒の保持力が向上する。そのため、砥粒保持力および柔軟性に優れる研磨シートとできる。
【０００７】
この場合、ろう材は、Ｓｎを含むことが好適である。この構成によれば、ろう材がＳｎを含むためにＣｕ−Ｓｎ系のろう材となり、ろう材自体の弾性と砥粒の保持力とが一層向上する。
【０００８】
この場合、ろう材は、Ｔｉを含むことが好適である。この構成によれば、ろう材がＴｉを含むため、砥粒の保持力が一層向上する。
【０００９】
この場合、基板シートはステンレス鋼からなることが好適である。この構成によれば、基板シートにステンレス鋼を用いることにより、より柔軟性が向上する。また、ステンレス鋼は酸化しにくいため、研磨シートの製造時においてろう付け処理をした際に、シートに酸化色がつきにくい。
【００１０】
この場合、基板シートの厚さは１ｍｍ以下であることが、研磨シートの柔軟性を向上させることができるため、好適である。
【００１１】
また、本発明の別態様によれば、上記本発明の研磨シートが装着された研磨工具が提供される。
【発明の効果】
【００１２】
本発明による研磨シートおよび研磨工具によれば、砥粒保持力および柔軟性に優れる研磨シートおよびこれを装着した研磨工具を提供することが可能となる。
【発明を実施するための最良の形態】
【００１３】
以下、本発明の実施の形態について添付図面を参照して説明する。同一の構成要素には同一の符号を付し、重複する説明は省略する。
【００１４】
図１は本発明の実施形態に係る研磨シートを示す斜視図である。本実施形態の研磨シート１０は、研磨シート１０単独で紙やすりのように使用される他、研磨工具に装着されて石材等の研磨加工に使用される。図１に示すように、本実施形態の研磨シート１０は、基板シート１２上に砥粒１４がろう材１６によって固着されている。基板シート１２は薄いステンレス鋼板からなり、その厚さは１ｍｍ以下とされ、厚さ０．５ｍｍ以下とすることがシートの柔軟性を向上させるためにより好適であり、厚さ０．０７ｍｍ〜０．１ｍｍとすることがさらに好適である。基板シート１２の砥粒１４を固着した面と反対の面には、後述する研磨工具に装着するための粘着テープ面や、面ファスナーが適宜設けられる。
【００１５】
砥粒１４は、ダイヤモンドやＣＢＮ（立方晶窒化ホウ素）等の超砥粒である。図１に示すように、砥粒１４は基板シート１２上に規則的に連続して固着されている。基板シート１２上における砥粒１４の配置は、図１に示すような正方配置の他、千鳥状に配置する等、用途に応じて変更することができる。
【００１６】
ろう材１６は、Ｃｕ−Ｓｎ系のろう材である。ろう材１６の組成は、７０〜８０重量％のＣｕを含み、その残部はＳｎからなる。あるいは、ろう材１６の組成は、７０〜８０重量％のＣｕと２〜８重量％のＴｉとを含み、その残部はＳｎからなる。さらに好ましくは、ろう材１６の組成は、７０〜８０重量％のＣｕと４〜６重量％のＴｉとを含み、その残部はＳｎからなる。このようにろう材１６がＣｕ−Ｓｎ系のろう材であってＴｉを含むことによって、砥粒１４の保持力をより向上させることができる。
【００１７】
このような研磨シート１０を製造する際には、基板シート１２上に砥粒１４を所定の配列で配置すると共に、粒状のろう材１６を基板シート１２上に散布する。その後、熱処理炉内で、９５０〜１０００℃程度の温度で焼結することによって、基板シート１２上に砥粒１４をろう付けすることができる。この際、基板シート１２をステンレス鋼からなるものとすることにより、シートに酸化色がつくことを防止することができる。
【００１８】
以下、本実施形態の研磨シートの作用効果について説明する。本実施形態の研磨シート１０は、ろう材１６がＣｕ−Ｓｎ系のろう材であるため、砥粒保持力および柔軟性に優れる研磨シートとできる。特に、基板シート１２をステンレス鋼からなるものとすることにより、基板シート１２とろう材１６との化学的な反応が良く、砥粒１４の保持力が向上したものとなる。
【００１９】
上述したように特許文献１に記載のＡｌをろう材として用いた研磨シートは、砥粒の保持力が弱く、砥粒が脱離しやすい。また、Ｎｉ−Ｃｒ系のろう材により砥粒をろう付けすると、Ｎｉが固いため、砥粒のろう付けのため基板シート上に積層しているＮｉがシートの曲げに追随できず割れてしまい、結局、研磨シート全体としては柔軟性に欠けるという欠点がある。しかし、本実施形態の研磨シート１０のようにＣｕ−Ｓｎ系のろう材１６によって砥粒１４をろう付けした場合は、Ｃｕ−Ｓｎ系のろう材１６は砥粒１４の保持力に優れるため、研磨シート１０を曲げた際の砥粒１４の脱離を防止することができ、研磨シート１０の寿命も向上する。また、Ｃｕ−Ｓｎ系のろう材１６はろう材自体の弾性に優れるため、研磨シート１０の曲げに追随しやすくろう材１６が割れにくい。その結果、本実施形態の研磨シート１０は、研磨シート全体として柔軟性に優れたものとできる。
【００２０】
本実施形態の研磨シート１０は、基板シート１２が薄いステンレス鋼からなるため、研磨シート１０を裁断することが容易であり、大きさや形状を自由に選択することができる。図２は、本発明の実施形態に係る研磨シートを貼り付けた研磨工具を示す斜視図である。図２に示す例では、研磨工具１００は、電動機を備えた工具本体１０２と、研磨シート１０を貼り付けるための研磨プレート１０４と、工具本体１０２に備えた電動機の回転動力を研磨プレート１０４に伝達するための回転軸１０６とを備える。研磨加工時には、作業者は、研磨プレート１０４に、本実施形態の研磨シート１０を粘着テープ面、面ファスナー等の手段により貼り付けて装着する。作業者は、研磨シート１０を装着した研磨プレート１０４を回転させつつ被研磨物Ｗに当接させることによって、被研磨物Ｗを研磨加工することができる。研磨シート１０が磨耗した場合には、随時、研磨シート１０を新しい物に交換することができる。
【００２１】
図３は、本発明の実施形態に係る研磨シートを巻き付けた研磨工具を示す斜視図である。図３に示す例では、研磨工具２００は、研磨電動機を備えた工具本体２０２と、研磨シート１０を巻き付けるための研磨ホイール２０４と、工具本体２０２に備えた電動機の回転動力を研磨プレート２０４に伝達するための回転軸２０６とを備える。この例では、作業者は、研磨ホイール２０４に、本実施形態の研磨シート１０を巻きつけることによって装着する。図２の例と同様に、研磨シート１０の装着には、粘着テープ面、面ファスナー等の手段を用いることができる。
【００２２】
本実施形態の研磨シート１０は、図２および図３に示したような電動工具の他、手動の研磨工具にも適用することができる。また、研磨シート１０を、適当な大きさに裁断して、それ自体を単独で用いることもできる。
【００２３】
尚、本発明の研磨シートおよび研磨工具は、上記した実施の形態に限定されるものではなく、本発明の要旨を逸脱しない範囲内において種々変更を加え得ることは勿論である。
【図面の簡単な説明】
【００２４】
【図１】本発明の実施形態に係る研磨シートを示す斜視図である。
【図２】本発明の実施形態に係る研磨シートを貼り付けた研磨工具を示す斜視図である。
【図３】本発明の実施形態に係る研磨シートを巻き付けた研磨工具を示す斜視図である。
【符号の説明】
【００２５】
１０…研磨シート、１２…基板シート、１４…砥粒、１６…ろう材、１００…研磨工具、１０２…工具本体、１０４…研磨プレート、１０６…回転軸、２００…研磨工具、２０２…工具本体、２０４…研磨ホイール、２０６…回転軸、Ｗ…被研磨物。
【図１】
2007175832.tif 000003
【図２】
2007175832.tif 000004
【図３】
2007175832.tif 000005